(57)【特許請求の範囲】
【請求項１】
減法混色に加法混色を共用して色補正した画像を形成するカラー画像形成方法において、励起波長域が紫外領域にある無機蛍光物質を用いることを特徴とするカラー画像形成方法。
【請求項２】
請求項１に記載のカラー画像形成方法において、少なくともイエロー、マゼンタ及びシアンの３色を用い、これら３色それぞれに対して前記無機蛍光体を併用することを特徴とするカラー画像形成方法。
【請求項３】
カラー画像を電子写真方式で形成することを特徴とする請求項１または２に記載のカラー画像形成方法。
【発明の詳細な説明】
【０００１】
【産業上の利用分野】
本発明はカラー画像形成方法に関する。
【０００２】
【従来の技術】
カラー画像は、ＣＲＴ画面や液晶画面などにソフトコピーとして表示したり、紙などにハードコピーとして表される。カラー画像のハードコピーとしては、反射画像及び透過画像があり、例えば、印刷物として、プリンター（例えば、インクジェットプリンター、レーザープリンター、昇華型プリンター、転写型プリンター、静電プリンター）によって出力されたものとして、感光材料からのものとしてあるいはコピーとして得ることができる。
【０００３】
カラー画像のハードコピーの善し悪しは、階調、解像度、色再現域、シャープネスなどで決まり、その色彩には、ハードコピーの支持体（紙やＯＨＰシートなど）の種類及び色、色素の色、インクやトナーの組成が寄与する。
【０００４】
これらカラー画像のハードコピーにおいて、色再現域を広げたり、色相を改良するために、化学構造の面より、より色純度の高い色素の探索が行われ、副吸収を減らす努力がなされたが、耐光性、コストその他の条件を考えあわせるとこれには限界があった。また、その他にも、色素の凝集状態や、インクやトナーを構成する活性剤、ポリマー等の光透過性などが工夫されたが、色素の副吸収をなくすには至っていない。
【０００５】
蛍光物質は種々の分野において用いられてきている。
【０００６】
例えば、蛍光増白剤として、発光波長域が青色である可視光波長域に吸収を持たない無色の蛍光物質が用いられ、黄ばみ等によって白色度が低下するのを防止する。また、偽造防止目的にも蛍光物質が用いられている。これは、自然光や蛍光灯等の通常光下では発色せず、紫外線照射下において蛍光を発する蛍光物質を用いるもので、紫外線を照射することで真贋の区別を付けようとするものである。また、蛍光物質をインク等に混入し、描画した画像に派手さを加え、視覚的にインパクトを与えることも行われている。
【０００７】
そこで本発明者らは、画像の色再現域を広げたり、色相を改良するために種々の検討を行った結果、蛍光物質を用いて色補正することにより、色再現域を広げたり、色相を改良できることを見出した。
【０００８】
今後、コンピュ−タ−の高性能化がはかられるにつれて、デジタル化による画像形成が進み、ハードコピーにおいて、ディスプレーであるＣＲＴ画面や液晶画面に近似したカラー画像が得られる色相及び色再現域がもたらされることが望まれてきている。
【０００９】
【発明が解決しようとする課題】
従って、本発明の目的は、励起波長域が紫外領域にある無機蛍光物質を用い、加法混色を共用して色補正することにより色再現域を広げ、色相を改良し、ＣＲＴ画像や液晶画像に近い色再現が得られるハードコピーを得ることができるカラー画像形成方法を提供することにある。
【００１０】
【発明を解決するための手段】
本発明の上記目的は、
（１）減法混色に加法混色を共用して色補正した画像を形成するカラー画像形成方法において、励起波長域が紫外領域にある無機蛍光物質を用いることを特徴とするカラー画像形成方法。
（２）上記（１）に記載のカラー画像形成方法において、少なくともイエロー、マゼンタ及びシアンの３色を用い、これら３色それぞれに対して前記無機蛍光体を併用することを特徴とするカラー画像形成方法。
（３）カラー画像を電子写真方式で形成することを特徴とする上記（１）または（２）に記載のカラー画像形成方法。
によって達成された。
【００１１】
本発明においては、減法混色による色相改良、色再現域拡大の限界を加法混色を共用することにより越えるものであって、励起波長域が紫外領域にある無機蛍光物質を用い、加法混色を共用することにより、色素の持つ副吸収を任意にキャンセルすることにより、色再現域を拡大することができる。
【００１２】
以下、本発明について詳細に説明する。
【００１３】
本発明において、色補正とは、色素の吸光度、吸収波形、半価幅、吸収ピーク、色純度のうち少なくとも１つを変化させることをいう。即ち、色素の色相を変化させること、副吸収を減少させること、色再現域を変化させることが含まれる。また、必要な色と使う混色によって色純度を低下させたり、色再現域を縮小する場合もある。色純度とは、吸収ピークとそれ以外の吸収波長の割合のことで、吸収ピークだけ、あるいは、吸収ピークに近い波長のみ吸収する方が色純度は高い。
【００１４】
本発明における色再現域とは、カラー画像の発色可能な色領域をいい、例えば、ＣＩＥ（国際照明委員会）色度図（ＪＩＳ  Ｚ−８７２１）上で表される発色可能な色領域、ＪＩＳ  Ｚ−８７２２（物体色の測定方法）に定められた方法に従って測定されるＬ*ａ*ｂ*空間で表される発色可能な色領域をいう。
【００１５】
本発明における色再現域の拡大とは、ＣＩＥ色度図上での発色可能な色領域の面積を拡大させること、Ｌ*ａ*ｂ*空間の体積を拡大させることをいう。
【００１６】
色相の変化とは、ハードコピーの反射吸収スペクトルあるいは透過吸収スペクトルを測定した場合、その吸収ピークあるいは色純度が変化したことをいう。
【００１７】
通常のハードコピーは、イエロー、マゼンタ、シアン色素の減法混色からなり、色素の持つ本来の吸収はそのまま形成画像に反映されるため、色素に副吸収があった場合、それ以上高純度の色を出すのは不可能であった。しかし、加法混色を用いることで、具体的には、例えば、色素の副吸収部に発光を持つ蛍光物質を加えることでその副吸収をキャンセルでき、副吸収に基づく欠点を解消することができる。
【００１８】
本発明のカラー画像形成方法は、ハードコピーしてカラー画像を得るのに用いることができ、ハードコピーしたカラー画像は、反射画像であっても、透過画像であってもよい。これらハードコピーしてのカラー画像は、例えば、凸版、凹版、平版等を用いた印刷機によって、例えば、インクジェットプリンター、レーザープリンター、昇華型プリンター、転写型プリンター、静電プリンター等のプリンターによって出力されたものであっても、電子写真であっても、カラー写真感光材料から得られるものであってもよい。
【００１９】
カラー画像を形成する支持体としては、バライタ紙、α−オレフィンポリマー等をラミネートした紙、紙支持体と、樹脂層が容易に剥離できる紙支持体、合成紙、酢酸セルロース、ポリスチレン、ポリ塩化ビニル、ポリエチレンテレフタレート、ポリカーボネイト、ポリアミド、ポリエチレンサルフォン、ＡＲＴＯＮ、ポリ乳酸等の半合成または合成高分子からなるフィルム、ガラス、金属、タイル、磁器などの剛体、布、皮等が挙げられる。
【００２０】
本発明のカラー画像の形成において、減法混色による画像の形成には、従来、減法混色による画像の形成に用いられている色素を用いることができる。
【００２１】
これら色素としては、例えば、以下のようなものが挙げられるが、これらに限定されるものではない。
【００２２】
フォトクロミック色素として用いられている、ベンゼンアゾ型、スピロピラン型、フルギド型、ジアリルエテン型、ジピドロピレン型、ベンゾチオスピロピラン型、スピロオキサジン型、スピロクマリノピラン、スピロインドリン、スピロチアジン、オキサゾリル、チアゾリルエテン、ジアルキルエテン、ジオキシピリミジン、ナフタセン誘導体、ポルフィリン系、ポリメチン系、ポリジアセチレン系、チオフェノキシスルホニウムテトラボレート、チオインジゴ系、サクシネートジアルキルエステル、ヘキサフェニル・イミダゾリル。
【００２３】
トナー用として用いられている、カーボンブラック、ベンジジンイエロー、ジフェニルメタン系色素、キナクリドン、ローダミン、フタロシアニンブルー、オイルブルー、アルカリブルー、フタロシアニングリーン、インドフェノール系色素、フタロシアニン系色素、アゾ系色素、アントラキノン系色素、ニグロシン染料、アニリンブルー、カルコイルブルー、クロムイエロー、ウルトラマリンブルー、デュポンオイルレッド、キノリンイエロー、メチレンブルークロライド、フタロシアニンブルー、マラカイトグリーンオクサレート、ローズベンガル。
【００２４】
感圧・感熱用としてとして用いられている、トリフェニルメタン−フタリド系、フルオラン系、フェノチアジン系、インドリルフタリド系、リューコオーラミン系、スピロピラン系、ローダミンラクタム系、トリフェニルメタン系、チオフルオラン系、キサンテン系、メチン系、アミノフェニルペンタジエン系、ベンゾピラン系。より具体的にはＣＶＬ、ＢＬＭＢ、ＯＤＢ、レッド２、Ｓ−２０５、ＡＴＰ、ＤＥＢＷ、
ＰＳＤ−：Ｐ、Ｖ、Ｏ、Ｒ、ＨＲ、Ｇ、１５０、１７０、
ＴＨ−：１０６、１０７
【００２５】
感熱転写用として用いられている、アゾ系、アントラキノン系、アゾメチン系、メチン系、インドアニリン系、スピロ系。
【００２６】
昇華転写用として用いられている、例えばＣＩ  Ｄｉｓｐｅｒｓｅ  Ｙｅｌｌｏｗ５４、ＣＩ  Ｄｉｓｐｅｒｓｅ  Ｒｅｄ６０、ＣＩ  Ｄｉｓｐｅｒｓｅ  Ｂｌｕｅ１４。
【００２７】
溶融転写用として用いられている、
イエロー：
クロム黄（黄鉛）、ジンククロメード（亜鉛黄）、レモンイエロー（クロム酸バリウム）、カドミウム黄、ナフトールエローＳ、ハンザエロー５Ｇ、ハンザエロー３Ｇ、ハンザエローＧ、ハンザエローＧＲ、ハンザエローＡ、ハンザエローＲＮ、ハンザエローＲ、ベンジンエロー、ベンジンエローＧ、ベンジンエローＧＲ、パーマネントエローＮＧＧ、キノリンエローレーキ、オーラミン。
マゼンタ：
パーマネントレッド４Ｒ、ブリリアントファストスカーレット、ブリリアントカーミンＢＳ、パーマネントカーミンＦＢ、リソールレッド、パーマネントレッドＦ５Ｒ、ブリリアントカーミン６Ｂ、ピグメントスカーレット３Ｂ、ローダミンレーキＢ、ローダミンレーキＹ、アリザリンレーキ、ローダミン。
シアン：
ビクトリアブルーレーキ、無金属フタロシアニンブルー、フタロシアニンブルー、ファストスカイブルー、ビクトリアブルー。
【００２８】
インクジェット用水溶性染料として用いられている、
イエロー：
ＣＩ  Ｄｉｒｅｃｔ  Ｙｅｌｌｏｗ；１２，２７，３３，３９，５０，５８，８５，８６，８８，１００，１１０
ＣＩ  Ａｃｉｄ  Ｙｅｌｌｏｗ；７，１７，２３，２９，４２，９９
マゼンタ：
ＣＩ  Ｄｉｒｅｃｔ  Ｒｅｄ；１，１１，３７，６２，７５，８３，９９，２２０，２２７
ＣＩ  Ａｃｉｄ  Ｒｅｄ；３５，８７，９２，９４，１１５，１３１，１５４，１８６，２５４，２６５
シアン：
ＣＩ  Ｄｉｒｅｃｔ  Ｂｌｕｅ；１，２，６，８，１５，２２，２５，７１，７６，７８，８６，９０，９８，１０８，１２０，１９２〜１９６，１９９，２００〜２０３，２０７，２３６，２３７
ＣＩ  Ａｃｉｄ  Ｂｌｕｅ；１，７，９，２３，４３，７８，８２，１２７，２３４，２３６
ブラック：
ＣＩ  Ｄｉｒｅｃｔ  Ｂｌａｃｋ；２，４，１７，１９，２２，３２，３８，５１，５６，６２，７１，７４，７５，７７，１０５，１０８，１１２，１５４，１６８
ＣＩ  Ａｃｉｄ  Ｂｌａｃｋ；１，２，７，２４，３１，５２，９４
ＣＩ  Ｆｏｏｄ  Ｂｌａｃｋ；１，２
【００２９】
インクジェット用油溶性染料として用いられている、
黄色系：Ｓｏｌｖｅｎｔ  Ｙｅ１１ｏｗ；１９，２１，６１，８０
橙色系：Ｓｏ１ｖｅｎｔ  Ｏｒａｎｇｅ；１，３７，４０
赤色系：Ｓｏｌｖｅｎｔ  Ｒｅｄ；８，８１，８２，８４，１００
桃色系：Ｄｉａｒｅｓｉｎ  Ｐｉｎｋ  Ｍ，Ｓｕｍｉｐｌａｓｔ  Ｐｉｎｋ  Ｒ・ＦＦ
紫色系：Ｓｏｌｖｅｎｔ  Ｖｉｏｌｅｔ；８，２１
青色系：Ｓｏｌｖｅｎｔ  Ｂｌｕｅ；２，１１，２５，３６
緑色系：Ｓｏｌｖｅｎｔ  Ｇｒｅｅｎ；３
茶色系：Ｓｏｌｖｅｎｔ  Ｂｒｏｗｎ  ３，Ｄｉａｒｅｓｉｎ  Ｂｒｏｗｎ  Ａ
黒色系：Ｓｏｌｖｅｎｔ  Ｂｌａｃｋ；３，５，７，２２
偏光フィルム用として用いられている、キノフタロン系、ナフトキノン系、アントラキノン系、ペリレン系、アゾ系。
【００３０】
光ディスク用として用いられている、シアニン系、アズレニウム系、ナフタロシアニン系、ナフトキノン系、インドアニリン系、ベンゼンチオール系、ジアミン系、ジアミノナフトキノン系、ナフタレンジカルボン酸ジアミド、ベンゼンチオール金属錯体、ジアミン金属錯体系、インドアニリン金属錯体系、テトラキスアミノフェニルベンゼン、ビチエニリデンビスベンゾキノン、ベンゾチオピリリウム、スクアリリウム、ベンゼンジオレートエチルホスホニウム金属錯体、フタリド化合物、ペンタフェニルペンタジエン、同縮合体、フルオレン誘導体、ペンタジエン。
【００３１】
ＰＨＢ（光化学ホールバーニング）用として用いられている、クロリン、キニザリン、カルバゾール系、ジメチルーＳテトラジン、テトラポルフィリン誘導体、テトラフェニルポルフィン。
【００３２】
さらに、最近その発色のよさと、耐光性の高さから注目されているＮｉ，Ｃｕ，Ｃｏ，Ｚｎ，Ｃｒ，Ｐｔ，Ｐｄ及びＦｅなどの金属と錯体を形成する色素及び金属錯体色素の前駆体である色素、例えば、特願平９−２６１９０４号明細書、特願平８−０９２４７８号明細書に記載の色素。
【００３３】
写真用色素として用いられている、例えば、特開平３−２１４１０３号公報、特開平３−２２０５０２号公報、特開平２−２７８２０４号公報、特開平２−２２８６０４号公報、特開平２−１５６２０３号公報、特開平２−１２７６０３号公報、特開平７−１５９６１０号公報に記載の色素前駆体と現像主薬のカップリング反応により形成される色素。
【００３４】
更に、色鉛筆、クレヨン、ポスターカラー、水彩絵具、油絵具、フェルトペン等に使われる色素も本発明の色素として用いることができる。
【００３５】
本発明の加法混色には、励起波長域が紫外領域にある無機蛍光物質が用いられる。用いることができる無機蛍光物質は、励起波長域が紫外領域にあり、副吸収域に発光を持つ無機蛍光物質であればよく、ストークス型シフトでも非ストークス型シフト（例えば、アップコンバージョン蛍光体）を示しても構わない。そのシフト値も目的とする吸収と発光を持てばいくつであってもよい。発光波形はブロードでもシャープでもよく、副吸収域全てを覆うことが好ましいが、例えば、人間の視感度の強い部分だけ特異的に発光するものであってもよい。また、希望する色補正ができれば副吸収を完全に補正するものでなくてもよい。
【００３６】
励起波長域が紫外領域にある無機蛍光物質としては、特に制限はなく、あらゆる励起波長域が紫外領域にある無機蛍光物質を使用することができる。
【００３８】
本発明において用いることができる無機蛍光物質としては、例えば、特開昭５０−６４１０号公報、同６１−６５２２６号公報、同６４−２２９８７号公報、同６４−６０６７１号公報、特開平１−１６８９１１号等公報に記載された蛍光物質、例えば、ＺｎＳ：Ａｇ、ＣａＷＯ4、Ｙ2ＳｉＯ5：Ｃｅ、ＺｎＳ：Ａｇ，Ｇａ，Ｃｌ、Ｃａ2Ｂ5Ｏ9Ｃｌ：Ｅｕ2+、ＢａＭｇＡｌ14Ｏ23：Ｅｕ2+等の青色発光無機蛍光体、例えば、ＺｎＳ：Ｃｕ，Ａｌ、（Ｚｎ，Ｃｄ）Ｓ：Ｃｕ，Ａｌ、ＺｎＳ：Ｃｕ，Ａｕ，Ａｌ、Ｚｎ2ＳｉＯ4：Ｍｎ、ＺｎＳ：Ａｇ，Ｃｕ、（Ｚｎ，Ｃｄ）Ｓ：Ｃｕ、ＺｎＳ：Ｃｕ、Ｇｄ2Ｏ2Ｓ：Ｔｂ、Ｌａ2Ｏ2Ｓ：Ｔｂ、Ｙ2ＳｉＯ5：Ｃｅ，Ｔｂ、Ｚｎ2ＧｅＯ4：Ｍｎ、ＣｅＭｇＡｌ11Ｏ19：Ｔｂ、ＳｒＧａ2Ｓ4：Ｅｕ2+、ＺｎＳ：Ｃｕ，Ｃｏ、ＭｇＯ・ｎＢ2Ｏ3：Ｃｅ，Ｔｂ、ＬａＯＢｒ：Ｔｂ，Ｔｍ、Ｌａ2Ｏ2Ｓ：Ｔｂ等の緑色発光無機蛍光体、例えば、Ｙ2Ｏ3：Ｅｕ、ＹＶＯ4：Ｅｕ、Ｙ2Ｏ2Ｓ：Ｅｕ、３．５ＭｇＯ，０．５ＭｇＦ2ＧｅＯ2：Ｍｎ、（Ｙ，Ｃｄ）ＢＯ3：Ｅｕ等の赤色発光無機蛍光体が挙げられる。また、３波長蛍光体に使用されている蛍光物質や、ハロリン酸カルシウム等も用いることができる。
【００３９】
蛍光物質は１種類を用いてもよく、２種以上の蛍光物質を併せて用いてもよい。例えば、波長変換可能な組み合わせを用いることにより、所望の発光を得ることもできる。励起波長域は画像に影響を与えない紫外領域にあることが好ましい。
【００４０】
用いる蛍光物質の組成は、環境や人体への負荷が少ないものが好ましい。
【００４１】
これら蛍光体の発光効率、耐水性、耐光性、耐候性は高い程良いが、効果があれば低くてもよく、この場合は表面加工等が利用できる。添加量は適切な効果が得られる量であればよい。
【００４２】
減法混色に加法混色を共用して色補正した画像を形成するには、例えば、凸版、凹版、平版等を用いた印刷においては、色補正用の蛍光体を加えた印刷インキ、例えば、インクジェットプリンター、レーザープリンター、昇華型プリンター、転写型プリンター、静電プリンター等のプリンターあるいはコピー機によって出力されたものにおいては、使用するインク、インクリボン、トナー等に色補正用の蛍光体を加える、カラー写真感光材料においては、蛍光体を形成するカプラーを用いればよい。また、加法混色により色補正をする蛍光体は、減法混色を行う印刷インキ、インク、インクリボン、トナー等に混入しないで、別途の印刷インキ、インク、インクリボン、トナー等を形成して用いてもよい。
【００４３】
用いる色素、バインダー、活性剤、ポリマー等は、それ自身の吸収が蛍光物質の励起波長に重ならないことが好ましいが、インクやトナー等の特性上やむを得ない場合は蛍光体の励起波長域に吸収を持ってもよい。インクやトナーに加工する場合、比重や粒径、帯電特性等が元の色材に似通っていてもよく、異なってもよい。ハードコピー上での蛍光物質の位置は効果が高くなるように表面近傍に加えてもよく、深部でもよい。
【００４４】
【実施例】
以下に、本発明を実施例により具体的に説明するが、本発明はこれらの実施例によって限定されるものではない。
【００４５】
実施例１
以下のようにして、イエロー色、シアン色、マゼンタ色及びイエロー、シアン、マゼンタを混合した色を有する画像試料１を作成した。
《画像試料の作成方法》
出力機器    カラーレーザープリンターＫＬ−２０１０（コニカ製）
ドライバ    純正ドライバ
トナ−      純正トナー
出力媒体    コニカ普通紙コピー用ペーパー（中性紙）
出力画像    ＩＳＯ／ＪＩＳ−ＳＣＩＤサンプル  Ｓ７〜Ｓ１０
【００４６】
また、上記比較の画像試料１の作成において、トナ−として、イエロー、シアン、マゼンタの各色に色再現域の拡大に適した蛍光物質（イエロートナ−には、Ｚｎ2ＳｉＯ4：Ｍｎ、シアントナ−には、Ｚｎ2ＳｉＯ4：Ｍｎ，ＢａＭｇＡｌ14Ｏ23：Ｅｕ、マゼンタトナ−には、Ｙ2Ｏ3：Ｅｕ，ＢａＭｇＡｌ14Ｏ23：Ｅｕ）を各々混入したトナ−を使用した以外は上記比較の画像試料１と同様にして本発明の画像試料１を作成した。
【００４７】
得られた比較の画像試料１及び本発明の画像試料１のそれぞれについて、イエロー、シアン、マゼンタ各色の色再現及びイエロー、シアン、マゼンタ全体での色再現を目視により評価した。目視評価の結果を表１に示す。
【００４８】
また、得られた比較の画像試料１及び本発明の画像試料１について、下記によりＬ*ａ*ｂ*空間での色再現域体積をそれぞれ求めた。以下に、Ｌ*ａ*ｂ*空間での色再現域体積の測定、計算方法を示す。
【００４９】
《Ｌ*ａ*ｂ*空間での色再現域体積の測定、計算方法》
測定方法の種類        Ｓｂ（一光路の分光測光器）
等色関数の種類        Ｘ10Ｙ10Ｚ10表色系（１０度視野）
標準の光の種類        Ｄ50（蛍光灯）
照明及び受光の幾何学的条件    ０−４５
３刺激値計算方法    Ｗ１０
測定機器              ＭＣＰＤ−１０００（大塚電子製）
有効波長              ３００〜１１００ｎｍ
【００５０】
得られた比較の画像試料１及び本発明の画像試料１のＬ*ａ*ｂ*空間での色再現域体積から、比較の画像試料１からの本発明の画像試料１におけるＬ*ａ*ｂ*空間での色再現域体積の増加値を求めた。得られた結果を表１に示す。
【００５１】
【表１】
0003992124.tif 000002
表１から明らかなように、本発明のカラー画像形成方法を用いると、明るく鮮やかな画像を得ることができる。
【００５２】
実施例２
トナ−に混入する蛍光物質とし、イエロートナ−には、Ｚｎ2ＳｉＯ4：Ｍｎ、シアントナ−には、Ｚｎ2ＳｉＯ4：Ｍｎ，ＢａＭｇＡｌ14Ｏ23：Ｅｕ、マゼンタトナ−には、Ｙ2Ｏ3：Ｅｕ，ＢａＭｇＡｌ14Ｏ23：Ｅｕを混入した以外は実施例１と同様にして、本発明の画像試料２を作成した。
【００５３】
本発明の画像試料２について、イエロー、シアン、マゼンタ各色の色再現及びイエロー、シアン、マゼンタ全体での色再現を目視により評価した。目視評価の結果を、実施例１に記載の比較の画像試料１の結果と共に表１に示す。
【００５４】
また、実施例１に記載の比較の画像試料１及び本発明の画像試料２のそれぞれについて、下記により吸収ピークを求めた。
【００５５】
《吸収ピーク》
測定方法の種類        Ｓｂ（一光路の分光測光器）
測定機器              ＭＣＰＤ−１０００（大塚電子製）
光源                  Ｄ50（蛍光灯）
有効波長              ３００〜１１００ｎｍ
照明の幾何学的条件    ０．４５
比較の画像試料１及び本発明の画像試料２の吸収ピークから、比較の画像試料１からの本発明の画像試料２における吸収ピークの変化幅を求めた。得られた結果を表２に示す。
【００５６】
【表２】
0003992124.tif 000003
表２から明らかなように、本発明のカラー画像形成方法を用いると、従来の色素では得ることができなかった色相の発色が可能となる。
【００５７】
実施例３
トナ−に混入する蛍光物質とし、イエロートナ−には、Ｚｎ2ＳｉＯ4：Ｍｎ、シアントナ−には、Ｚｎ2ＳｉＯ4：Ｍｎ，ＢａＭｇＡｌ14Ｏ23：Ｅｕ、マゼンタトナ−には、Ｙ2Ｏ3：Ｅｕ，ＢａＭｇＡｌ14Ｏ23：Ｅｕを混入した以外は実施例１と同様にして、本発明の画像試料３を作成した。
【００５８】
本発明の画像試料３について、イエロー、シアン、マゼンタ各色の色再現及びイエロー、シアン、マゼンタ全体での色再現を目視により評価した。目視評価の結果を、実施例１に記載の比較の画像試料１の結果と共に表１に示す。
【００５９】
また、実施例１に記載の比較の画像試料１及び本発明の画像試料３のそれぞれについて、比較の画像試料１からの本発明の画像試料３におけるＬ*ａ*ｂ*空間での色再現域体積の増加値及び比較の画像試料１からの本発明の画像試料３における吸収ピークの変化値を求めた。得られた結果を表３に示す。
【００６０】
【表３】
0003992124.tif 000004
【００６１】
表３から明らかなように、本発明のカラー画像形成方法を用いると、明るく鮮やかな画像が得られ、また、従来の色素では得ることができなかった色再現域の発色が可能となる。
【００６２】
【発明の効果】
本発明のカラー画像形成方法によれば、色再現域が広く、色相が改良され、ＣＲＴ画像あるいは液晶画像に近い色再現を得ことができる。